(57)【要約】  本発明は、主活性成分として二酸化塩素を用いた高効率な消毒布又は滅菌布に関する。このために、亜塩素酸塩又は塩素酸塩で含浸された布を、流体であるか流体の中に溶解若しくは混合された単回用量として予め包装された明確に規定された量の適切な活性化剤と、二酸化塩素の発生のために接触させることにより、二酸化塩素を使用の直前のみに生成させる。好ましい実施形態においては、含浸布と活性化液は共通の包装単位の中に包装され、活性化は布と活性化液とを隔てているバリアを破ることにより行われる。別の好ましい実施形態においては、包装は、取り外し可能なバリアにより互いに隔てられている２つの包装空間を有する成形部品であり、これは、一方向への単純な圧力により１つの空洞のみを有する成形部品へと変換することができる。活性化液又は消毒布は、ｐＨ値調整物質、界面活性剤、グアニジン誘導体、アルデヒド、フェノキシエタノール、リン酸エステル、アルコール、スルホキシドなどの追加的な物質を含み得る。好ましくは、本発明の消毒布は、医療器具及び／又は医療製品及び／又は表面を消毒及び／又は滅菌するために使用される。【特許請求の範囲】
【請求項１】
Ａ．）亜塩素酸塩又は塩素酸塩、好ましくは亜塩素酸ナトリウム、塩素酸ナトリウム、亜塩素酸カリウム、塩素酸カリウム、亜塩素酸アンモニウム、又は塩素酸アンモニウムで含浸された布；
を、
Ｂ．）二酸化塩素の生成のための、単回用量として予め包装された明確に規定された量の適切な液体若しくは溶解された活性化剤、又は液体と混合されたもの、好ましくは塩酸、ペルオキソ二硫酸、リン酸、又は酸化剤；
と接触させることにより使用前に活性化されることを特徴とする、消毒布。
【請求項２】
１枚以上の含浸布と前記活性化液が共通の包装単位の中に包装され、前記活性化が前記布と前記活性化液とを隔てているバリアを開ける及び／又は破裂させる及び／又は溶解させることにより行われることを特徴とする、請求項１に記載の消毒布。
【請求項３】
１枚以上の含浸布と前記活性化液が入っているパウチとが共通の包装単位の中に包装され、前記活性化が、前記活性化液が入っている前記パウチを破壊する及び／又は破裂させる及び／又は溶解させることにより行われることを特徴とする、請求項１に記載の消毒布。
【請求項４】
前記包装が、取り外し可能なバリアにより隔てられた２つ以上の包装用空洞を有し、一方向に単に加圧するか引っ張ることにより１つだけの空洞を有する成形物品へと変換することができる成形物品であることを特徴とする、請求項１又は２に記載の消毒布。
【請求項５】
加圧するか引っ張ることにより得られる前記１つの空洞を有する成形物品が、片側に容易に開けることができる又は浸透することができる包装膜を含むことを特徴とする、請求項４に記載の消毒布。
【請求項６】
前記消毒布が、乾燥され折り畳まれた状態である及び／又はプレスされた形態である吸収性材料からなり、液体、好ましくは前記活性化液Ｂ．）との接触の結果として乾燥貯蔵状態と比較してその体積が少なくとも５０％増加することを特徴とする、請求項１〜５のいずれか１項に記載の消毒布。
【請求項７】
前記活性化液が１種以上のｐＨ調節物質、好ましくは炭酸塩、炭酸水素塩、硫酸塩、硫酸水素塩、リン酸塩、及び／若しくはリン酸水素塩を追加的に含む、並びに／又は、前記消毒布が１種以上のｐＨ調節物質で、好ましくは前述の物質で追加的に含浸されたものであることを特徴とする、請求項１〜６のいずれか１項に記載の消毒布。
【請求項８】
前記活性化液が１種以上の界面活性剤、好ましくは四級アンモニウム化合物及び／若しくは非有機界面活性剤を追加的に含む、並びに／又は前記消毒布が１種以上の界面活性剤、好ましくは前述の界面活性剤で追加的に含浸されたものであることを特徴とする、請求項１〜７のいずれか１項に記載の消毒布。
【請求項９】
前記活性化液が、次の
群２：
グアニジニウム誘導体、特にはＰＨＭＢ；
アルデヒド、特にはグルタルアルデヒド；
フェノール、特にはクロロキシレノール、トリクロサン；
クロルヘキシジン；
オクテニジン；
フェノキシエタノール；並びに／又は、
リン酸エステル、好ましくはエトキシ化脂肪族リン酸エステル若しくはリン酸ジエステル、及び／又はアルキルエーテルリン酸エステル；
からの１種以上の物質を追加的に含む、並びに／又は前記消毒布がこの群２からの１種以上の物質で代わりに若しくは追加的に含浸されたものであることを特徴とする、請求項１〜８のいずれか１項に記載の消毒布。
【請求項１０】
前記活性化剤が、次の
群３：
水；
アルコール、特にはエタノール及びイソプロパノール；
ケトン、特にはアセトン；
スルホキシド、特にはＤＭＳＯ；及び／又は
カルボン酸エステル、特には酢酸エチル；
からの物質の中に溶解したものである及び／又はこれと混合されたものであることを特徴とする、請求項１〜９のいずれか１項に記載の消毒布。
【請求項１１】
医療器具及び／又は医療製品及び／又は表面の滅菌のための、請求項１〜１０のいずれか１項に記載の消毒布の使用。 
【発明の詳細な説明】
【技術分野】
【０００１】
本発明は、高効率の消毒布又は滅菌布に関する。
【背景技術】
【０００２】
特に実験室及び医療分野では、高効率の消毒布及び滅菌布が非常に必要とされている。これらの例は、例えば内視鏡のようなオートクレーブ処理することができない医療器具の滅菌、並びに医療技術及び実験室機器の洗浄である。そのような器具の洗浄では、従来の消毒布は、使用される消毒剤の有効性が限定的であるか又は遅いため、多くの場合不適切である。これは、比較的長い接触時間を必要とする、おそらく最も広く使用されている消毒剤であるアルコールに特に当てはまるが、気化のためこれは通常は達成されない。
【０００３】
本出願人が知る限りでは、これまでの単なる単一の系では、活性成分として二酸化塩素を使用することにより満足できる有効性が達成されている。例えば国際公開第２００５１０７８２３号パンフレット（特許文献１）、米国特許出願公開第２０１４１４２４８９号明細書（特許文献２）、及び国際公開第２０１５０４０３６６号パンフレット（特許文献３）を参照のこと。二酸化塩素活性成分の低い安定性のため、これらの中に記載されている系は、予め含浸された拭き取り布に活性化剤スプレーが噴霧され、その結果これらが活性化されることで、活性成分を使用時に直接生成させることにより機能する。これは、使用直前に必要とされる二酸化塩素を生成させるため、貯蔵安定性の問題の大部分は解決される。しかしながら、手動で操作する活性化剤スプレーの使用により今度は別の問題がもたらされ、すなわち活性化剤の正確な用量が難しくなる。手動操作のばらつきのため、この問題は、活性化剤が常に過剰量で使用されることによってのみ、ある程度解決することができる。しかしながら、この影響は、今度は活性化剤の多量の残留物を消毒された表面上に残すことになり、そのため過剰な活性化剤を除去するためにこれらの表面の再洗浄が必要になる。
【先行技術文献】
【特許文献】
【０００４】
【特許文献１】国際公開第２００５１０７８２３号パンフレット
【特許文献２】米国特許出願公開第２０１４１４２４８９号明細書
【特許文献３】国際公開第２０１５０４０３６６号パンフレット
【発明の概要】
【発明が解決しようとする課題】
【０００５】
しかし、これはいくつかの理由で重大な問題となる。より具体的には、その時点でもはや滅菌布ではない滅菌布での再洗浄操作は、その前の滅菌の目的を無にする新たな汚染を生じさせる可能性があり、系の信頼性のある使用は実際にはもはや保証されない。同様に、新たなエラー源だけでなく、特には相当の余計な時間的要求及び材料と作業時間の両方に関する増加したコストを伴う追加的な作業工程も必要とされる。
【課題を解決するための手段】
【０００６】
本発明は、二酸化塩素の生成に必要な成分で含浸された消毒布が、単回用量として予め包装された液体形態である明確に規定された量の活性化剤と、消毒布を接触させることによって活性化されることでこの問題を解決する。これにより、それぞれの場合における含浸剤の量及び活性化剤の量を要求される化学量論比で正確に一致させることができ、あるいは過剰な１成分を、過剰な１成分を除去するためにもはや再洗浄を必要としないほどに十分少なくすることができる。
【発明を実施するための形態】
【０００７】
原則として、全ての亜塩素酸塩又は塩素酸塩、好ましくは亜塩素酸ナトリウム、塩素酸ナトリウム、亜塩素酸カリウム、塩素酸カリウム、亜塩素酸アンモニウム、又は塩素酸アンモニウムは、布の含浸剤として有用である。二酸化塩素の生成のための好適な活性化剤は、原則として、二酸化塩素の生成のための全ての公知の共反応物、好ましくは次の群からの薬剤である。
群１：
酸、更に好ましくは、塩酸、硫酸、リン酸、ペルオキシ酢酸、Ｃ１〜Ｃ４０の有機ラジカルを有するカルボン酸；
過硫酸塩；
ペルオキソ二硫酸塩；
過ホウ酸塩；
過炭酸塩；
ペルオキソ二炭酸塩；
過マンガン酸塩、更に好ましくは過マンガン酸カリウム；
次亜塩素酸塩、更に好ましくは次亜塩素酸ナトリウム、次亜塩素酸カリウム；
ヨウ素；及び／又は
過酸化水素；
より好ましくは塩酸、ペルオキソ二硫酸、リン酸、又は過酸化水素。
【０００８】
活性化液は、原則として、単回投与に適した任意の形態、好ましくはカプセル又はパウチの中に包装することができる。有用な包装材料としては、選択された活性化剤の貯蔵に適した全ての材料を挙げることができるが、特にはポリエチレン（ＰＥ）、ポリプロピレン（ＰＰ）、ポリ塩化ビニル（ＰＶＣ）、ポリアミド（ＰＡ）、ポリテトラフルオロエチレン（ＰＴＦＥ）、及びポリウレタン（ＰＵ）などの市販のプラスチックが好ましい。
【０００９】
好ましい実施形態においては、カプセル又はパウチは、液密の外装、好ましくは商業用の個別の小袋包装の中に含浸布と共に包装される。更に、カプセル又はパウチは、片側又は上端に適度な手による圧力が加えられた際に外装が破裂し、結果として中に充填されていた活性化液が包装の中に入っていた布の上に流れてこれにより吸収される一方で、外装は損なわれないままであるように構成される。そのため、活性化反応は、環境から隔離された外装の内部で進行することができ、そしてこれが完了した後、その際には二酸化塩素溶液で含浸されている布は、例えば小袋を破って開けることにより外装から取り出すことができる。一枚の布ではなく、例えば取り出し口を有するポリマーフィルム製の包みの中の１０〜１００枚の布（マルチパック）、又は取り出し口を有する硬質プラスチック包装体の中の５０〜５００枚の布（ドラム／バケット／ディスペンサー）のように、同じ包装の中に複数の布を詰めることも可能である。
【００１０】
別の好ましい実施形態においては、活性化液及び含浸布はプラスチック製のトレイの中に一緒に包装されるが、除去可能又は浸透可能なバリアによって隔てられる。このトレイは、上端で液密フィルムにより閉じられる。その後、液密閉鎖フィルムを引き剥がすと、分離バリアを引き剥がすことができ、結果として活性化液がその後含浸布に向かって流れてこれにより吸収され、そのため二酸化塩素を得るための成分間の反応が起こる。あるいは、バリアは、例えば閉鎖フィルムへの圧力によって閉じた状態で浸透することができ、その結果、閉じたままの包装の中で合流して二酸化塩素を得るための成分の吸収又は反応が生じる。
【００１１】
更に好ましい実施形態においては、包装は、一方向に単に加圧するか又は引っ張ることによって１つだけの空洞を有する成形物品へと変換される、２つの別個の包装用空洞を有する成形物品である。この場合、含浸布は一方の空洞の中にあり、活性化液は他方の空洞の中にある。その後、成形物品が加圧又は引っ張りにより単一の空洞へと成形されると、布と活性剤とが接触し、二酸化塩素を得るための反応が起こる。加圧又は引っ張りによる変形の前に、成形物品は２つより多い空洞も含んでいてもよく、これは、二酸化塩素の生成のための薬品だけでなく、追加的な成分も使用の直前にその場で布に塗布しようとする場合に有利な場合がある。
【００１２】
特に好ましい実施形態においては、上述した成形物品は、プラスチック、好ましくはＰＥ、ＰＰ、ＰＡ、ＰＶＣ、ＰＴＦＥ、又はＰＵで成形され、これは片側のみが、取り外し可能な又は浸透可能な膜で、好ましくは上述したものと同様のプラスチックのうちの１つ又は紙でできた膜で閉じられる。
【００１３】
更に好ましい実施態様においては、上述した膜で閉じられた成形プラスチック物品の中に、吸収性材料製の、好ましくはセルロース製の圧縮された乾燥消毒布が詰められ、これは活性化液との接触の結果として乾燥貯蔵状態と比較して少なくとも５０％その体積が増加する。更に好ましくは、このようにサイズが増加した消毒布は包装を超えて膨張し、そのため容易に取り出すことができる。
【００１４】
反応をより制御し易くするためには、好ましい実施形態では、消毒布及び／又は活性化液は、液体への添加剤として、及び／又は追加的な含浸剤として、１種以上のｐＨ調節物質、好ましくは炭酸塩、炭酸水素塩、硫酸塩、硫酸水素塩、リン酸塩、及び／又はリン酸水素塩を追加的に含む。取扱い上の理由から、液体への添加が好ましく、混合／分布を改善するために１種以上の物質を液体中に存在させることもできる一方で、含浸剤として代わりに又は追加的に１種以上の物質を使用してもよい。
【００１５】
更に好ましい実施形態においては、消毒布及び／又は活性化液は、液体への添加剤及び／又は追加的な含浸剤のいずれかとして、１種以上の界面活性剤、好ましくは四級アンモニウム化合物又は非有機界面活性剤を追加的に含む。取扱い上の理由から、これも同様に液体への添加が好ましいが、混合／分布を改善するために１種以上の物質を液体中に存在させることもできる一方で、含浸剤として代わりに又は追加的に１種以上の物質を使用してもよい。上述の物質は、消毒作用を更に増加することができる、及び／又は消毒すべき物品若しくは消毒すべき表面上の二酸化塩素の分布を更に改善することができる。界面活性剤は同様に液体からの二酸化塩素の逃げを遅らせることもでき、そのため環境汚染又は使用者の危険の回避又は低減に寄与する。二酸化塩素は活性化液と含浸剤との接触により使用直前にしか生成しないため、物質は二酸化塩素とわずかな時間しか接触しないことから、これらの物質と二酸化塩素との相互作用はごくわずかである。より具体的には、わずかな相互分解しか存在せず、そのためこれらの物質を本発明において二酸化塩素と共に使用することは問題なく可能である。
【００１６】
更に好ましい実施形態においては、消毒布及び／又は活性化液は、液体への添加剤として、及び／又は追加的な含浸剤としてのいずれかで、次の群からの１種以上の物質を追加的に含む。
群２：
グアニジニウム誘導体、特にはＰＨＭＢ；
アルデヒド、特にはグルタルアルデヒド；
フェノール、特にはクロロキシレノール、トリクロサン；
クロルヘキシジン；
オクテニジン；
フェノキシエタノール；並びに／又は、
リン酸エステル、好ましくはエトキシ化脂肪族リン酸エステル若しくはリン酸ジエステル、及び／又はアルキルエーテルリン酸エステル。取扱い上の理由から、これも同様に液体への添加が好ましいが、混合／分布を改善するために１種以上の物質を液体中に存在させることもできる一方で、含浸剤として代わりに又は追加的に１種以上の物質を使用してもよい。上述の物質は、消毒作用を更に増加することができる、及び／又は消毒すべき物品若しくは消毒すべき表面上の二酸化塩素の分布を更に改善することができる、及び／又は短期間の消毒作用だけでなく、追加的な中期的又は長期的な抗菌効果を更に保証することができる。二酸化塩素は活性化液と含浸剤との接触により使用直前にしか生成しないため、そして表面からの蒸発又は気体の抜けが比較的早いため、物質は二酸化塩素とわずかな時間しか接触しないことから、これらの物質と二酸化塩素との相互作用はごくわずかである。より具体的には、わずかな相互分解しか存在せず、そのためこれらの物質を本発明において二酸化塩素と共に使用することは問題なく可能である。
【００１７】
更に好ましい実施形態においては、活性化液は、溶媒及び／又は追加的な成分として、次の群からの１種以上の物質を含む。
群３：
水；
アルコール、特にはエタノール及びイソプロパノール；
ケトン、特にはアセトン；
スルホキシド、特にはＤＭＳＯ；及び／又は
カルボン酸エステル、特には酢酸エチル。
【００１８】
これらの物質は、特に、成分のより良好な溶解及び分布をもたらす。更に、これらは消毒すべき物品若しくは消毒すべき表面上の二酸化塩素の分布を改善することもでき、及び／又は消毒作用を更に増加させることもできる。加えて、これらは処理される表面への消毒剤の浸透深さを増加させることができる。二酸化塩素は活性化液と含浸剤との接触により使用直前にしか生成しないため、物質は二酸化塩素とわずかな時間しか接触しないことから、これらの物質と二酸化塩素との相互作用はごくわずかである。より具体的には、わずかな相互分解しか存在せず、そのためこれらの物質を本発明において二酸化塩素と共に使用することは問題なく可能である。
【００１９】
更に、活性化液は、接触すると消毒布の色を変化させる色指示薬を含んでいてもよい。この目的のために、消毒布は、透明なパッケージ表面の下に全体又は一部が包装されていてもよい。指示薬物質は、消毒布の中に含浸剤として存在していてもよく、液体と接触することで活性化されてもよい。より好ましくは、指示薬液は、同時に例えば硫酸の中に溶解したヨウ化カリウムなどの二酸化塩素の存在のための化学的な指示薬でもあり、この場合には二酸化塩素と接触すると色が変化する（ヨウ化物−ヨウ素反応）。
【００２０】
好ましくは、上述した消毒布は、どのように設計されたとしても、好ましくは、病院及び／又は医師の診療及び／又は実験室において、特にはセーフティーレベル２以上の実験室において、医療器具及び／又は医療製品及び／又は実験器具及び／又は表面の消毒及び／又は滅菌に使用される。
【国際調査報告】
2019518583.tif 000002
2019518583.tif 000003
2019518583.tif 000004
2019518583.tif 000005
2019518583.tif 000006
2019518583.tif 000007